(57)【要約】【課題】  中継波の出力レベルを上げることなく中継波のサービスエリアを広げられる衛星信号再送信システムを提供する。【解決手段】  放送信号を受信する衛星放送受信アンテナ部１と、該衛星放送受信アンテナ部１で受信した信号を増幅して所定の出力レベルの中継用信号を出力するＡＧＣアンプ１１と、該ＡＧＣアンプ１１から出力された信号を複数に分配するための分配器１３と，該分配器１３で分配された信号を所定の放射レベルで再放射する複数の再送信アンテナ部２とを備え該複数の再送信アンテナ２は該各分配端子にそれぞれ接続されており，前記衛星放送受信アンテナ部１で受信した衛星信号を，複数の再送信アンテナ２から放送信号を直接受信できないエリアに向けて再放射するように構成した。【選択図】  図１
2005341504.tif 000002
【特許請求の範囲】
【請求項１】
放送信号を受信する衛星放送受信アンテナ部と、
該衛星放送受信アンテナ部で受信した信号を増幅して所定の出力レベルの中継用信号を出力するＡＧＣアンプと、
該ＡＧＣアンプから出力された信号を複数に分配するための分配器と，
該分配器で分配された信号を所定の放射レベルで再放射する複数の再送信アンテナ部と、
を備え該複数の再送信アンテナは該各分配端子にそれぞれ接続されており，前記衛星放送受信アンテナ部で受信した衛星信号を，複数の再送信アンテナから放送信号を直接受信できないエリアに向けて再放射することを特徴とする衛星信号再送信システム。
【請求項２】
前記分配端子と再送信アンテナの間に高周波信号を減衰するための減衰器を備えさせたことを特徴とする請求項１に記載の衛星信号再送信システム。
【請求項３】
前記ＡＧＣアンプと前記分配器と少なくとも１つの再送信アンテナは一体で形成されていることを特徴とした請求項１または請求項２に記載の衛星信号再送信システム。
【発明の詳細な説明】
【技術分野】
【０００１】
本発明は，衛星放送或いは衛星信号を受信し,当該衛星放送或いは衛星信号を直接受信できないエリアに向けて中継波を再送信する衛星信号再送信システムに関する。
【背景技術】
【０００２】
従来，衛星信号再送信システムとして，屋外に２ＧＨｚ帯の移動体向け衛星放送信号を受信するための受信アンテナを設置し，１本の同軸ケーブルで伝送すると共に,室内に設置した増幅器で所要レベルまで増幅したのち，２ＧＨｚ帯の移動体向け衛星放送信号を直接受信できないエリアに向けて中継波を放射するための送信アンテナを備えた衛星信号再送信システムがある。（特許文献１参照）
【０００３】
【特許文献１】特開２００４−７５３１号公報
【発明の開示】
【発明が解決しようとする課題】
【０００４】
しかし，上記システムにおいて中継波によるサービスエリアを広く確保するためには中継波の出力レベルを上げる必要がある。ところが，他の電子機器に影響を与えないようにするためにはあまり出力レベルを上げることができない場合がある。
【０００５】
そこで本願においては，こうした問題点を解決するためになされたものであり，その目的は，中継波の出力レベルを上げることなく中継波のサービスエリアを広げられる衛星信号再送信システムを提供することである。
その他の目的は，送信アンテナごとに放射レベルが調整でき,他の電子機器に影響を与えず均一な電磁界が得られる衛星信号再送信システムを提供することである。
その他の目的は，手狭な場所でも設置できる衛星信号再送信システムを提供することである。
【課題を解決するための手段】
【０００６】
上記課題を解決するために，請求項１の発明は，放送信号を受信する衛星放送受信アンテナ部と、該衛星放送受信アンテナ部で受信した信号を増幅して所定の出力レベルの中継用信号を出力するＡＧＣアンプと、該ＡＧＣアンプから出力された信号を複数に分配するための分配器と，該分配器で分配された信号を所定の放射レベルで再放射する複数の再送信アンテナ部とを備え該複数の再送信アンテナは該各分配端子にそれぞれ接続されており，前記衛星放送受信アンテナ部で受信した衛星信号を，複数の再送信アンテナから放送信号を直接受信できないエリアに向けて再放射するように構成される。
【０００７】
請求項２の発明は，請求項１に記載の衛星信号再送信システムにおいて，前記分配端子と再送信アンテナの間に高周波信号を減衰するための減衰器を備えさせるように構成される。
【０００８】
請求項３の発明は，請求項１または請求項２に記載の衛星信号再送信システムにおいて，前記ＡＧＣアンプと前記分配器と少なくとも１つの再送信アンテナは一体で形成するように構成される。
【発明の効果】
【０００９】
請求項１の発明によれば，放送信号を受信する衛星放送受信アンテナ部と、該衛星放送受信アンテナ部で受信した信号を増幅して所定の出力レベルの中継用信号を出力するＡＧＣアンプと、該ＡＧＣアンプから出力された信号を複数に分配するための分配器と，該分配器で分配された信号を所定の放射レベルで再放射する複数の再送信アンテナ部とを備え該複数の再送信アンテナは該各分配端子にそれぞれ接続されており，前記衛星放送受信アンテナ部で受信した衛星信号を，複数の再送信アンテナから放送信号を直接受信できないエリアに向けて再放射するように構成したので，
中継波の出力レベルを上げることなく中継波のサービスエリアを広げられる衛星信号再送信システムを提供することができる。
【００１０】
請求項２の発明によれば，請求項１に記載の衛星信号再送信システムにおいて，前記分配端子と再送信アンテナの間に高周波信号を減衰するための減衰器を備えさるように構成したので，
送信アンテナごとに放射レベルが調整でき,他の電子機器に影響を与えず均一な電磁界が得られる衛星信号再送信システムを提供することができる。
【００１１】
請求項３の発明によれば，請求項１または請求項２に記載の衛星信号再送信システムにおいて，前記ＡＧＣアンプと前記分配器と少なくとも１つの再送信アンテナは一体で形成するように構成したので，
上記の効果に加えて，手狭な場所でも設置できる衛星信号再送信システムを提供することができる。
【発明を実施するための最良の形態】
【００１２】
以下，本発明を具体化した実施の形態を，図面に基づいて詳細に説明する。図１は本発明に係る衛星信号再送信システムの実施形態を示すブロック図であり，図２は再送信装置のブロック図を示している。
【００１３】
図１において，１は衛星放送受信アンテナであり，本実施例では２．６ＧＨｚ帯で近じか放送される衛星デジタル放送信号を受信するためのアンテナである。衛星放送受信アンテナ１は直接衛星放送が受信できる場所に設置される。２は前記放送信号を直接受信することができない場所に中継波を再放射するための再送信アンテナである。本実施例では前記直接受信できないエリアであっても極力広い範囲で衛星デジタル放送のサービスを享受できるようにするため３台の再送信アンテナを使用している。３は衛星放送受信端末装置である。４は前記，衛星放送受信アンテナ１で受信した２．６ＧＨｚ帯の衛星デジタル放送信号を前記再送信アンテナ２まで伝送するための伝送線である。５は住戸を示している。１０は後述する再送信装置であり，前記衛星放送受信アンテナ１で受信した２．６ＧＨｚ帯の衛星デジタル放送信号を所定レベルまで増幅したのち分配して,再送信アンテナ２に送出するためのものである。
【００１４】
次に,再送信装置１０について,図２を用いて詳細に説明する。
図２において，１０ａは入力端子，１０ｂ・１０ｃは出力端子である。１１はＡＧＣ増幅器で所定の出力レベルを出力する電力増幅器である。ＡＧＣ付き増幅器を採用することにより,入力端子１０ａに供給される衛星信号レベルが変動してもほぼ一定の出力レベルを得ることができる。１２は電源部で，商用電源からＡＧＣ増幅器１１を動作させるための動作用電源を生成している。１３は電力分配器であり,本実施例では３分配器を使用している。１４は高周波信号を減衰させるための減衰器である。本実施例では，減衰量をそれぞれ調整できるように分配端子と再送信アンテナの経路上にそれぞれ備えられている。減衰器は衛星放送受信端末装置以外の電子機器に妨害を与えないために設けたものであり,本衛星放送受信端末装置が安定に動作でき,かつ，他の電子機器への妨害の程度が許容範囲内になるように調整するとよい。
なお，６は電源プラグである。
【００１５】
次に,動作について説明する。
衛星放送受信アンテナ１で受信した２．６ＧＨｚ帯の衛星デジタル放送信号は伝送線４ａ・４ｂを介して住戸５内に取り込まれる。そして,伝送線４ｃを介して,再送信装置１０の入力端子１０ａに供給される。
入力端子１０ａに供給された衛星信号はＡＧＣ増幅器１１で所定の出力レベルまで増幅され分配器１３で３分配され，一方は減衰器１４ａでレベルが調整されたのち，再送信装置１０に内蔵されている再送信アンテナ２ａに供給され，再送信アンテナ２ａから，前記２．６ＧＨｚ帯の衛星デジタル放送信号が直接受信できないエリアに設置された衛星放送受信端末装置３ａに向けて中継信号が放射される。衛星放送受信端末装置３ａは前記中継放送信号を受信することで,２．６ＧＨｚ帯の衛星デジタル放送のサービスを享受できる。
なお，ＡＧＣ増幅器１１の動作用電源は電源部１２から供給されるようになっている。
【００１６】
一方，分配器１３の他の分配端子には上記同様に減衰器１４ｂ・１４ｃを介して出力端子１０ｂ・１０ｃにそれぞれ出力される。そして，出力端子１０ｂ・１０ｃにはそれぞれ,外部再送信アンテナ２ｂ・２ｃに接続されており,前記２．６ＧＨｚ帯の衛星デジタル放送信号が直接受信できないエリアおよび，再送信アンテナ２ａのサービスエリア以外に設置された衛星放送受信端末装置３ｂ・３ｃに向けて中継信号が放射される。衛星放送受信端末装置３ｂ・３ｃは前記中継放送信号を受信することで,２．６ＧＨｚ帯の衛星デジタル放送のサービスを享受できる。
【００１７】
尚，本発明は上記実施の形態に限定されるものではなく，以下に例示するように，本発明の趣旨を逸脱しない範囲で各部を適宜に変更して実施することも可能である。
上記実施形態では，３分配して再送信アンテナを３台使用したが，これに限定されるものではなく,必要に応じて,２分配器を使用して,再送信アンテナを２台設置しても良いし,４分配以上の分配器を使用して,再送信アンテナを４本以上使用しても同様の効果を得ることができる。また，ＡＧＣ増幅を１台使用したが，２台以上使用して電力を分散してもよい。このように構成すると分配数が大きな値になっても,比較的小電力の増幅器が使用できトータルコストを下げることができる。
【図面の簡単な説明】
【００１８】
【図１】本発明に係る衛星信号再送信システムの実施形態を示すブロック図である。
【図２】図２は再送信装置のブロック図である。
【符号の説明】
【００１９】
１・・衛星放送受信アンテナ，２・・再送信アンテナ，３・・衛星放送受信端末装置，４・・伝送線，５・・住戸内，６・・電源プラグ，１０・・再送信装置，１０ａ・・入力端子，１０ｂ・・出力端子，１０ｃ・・出力端子，１１・・ＡＧＣ増幅器，１２・・電源部，１３・・分配器，１４・・減衰器。
【図１】
2005341504.tif 000003
【図２】
2005341504.tif 000004